(57)【要約】【課題】  開封又は再封機能の発揮によって自動的に開封表示が露出する構成を備え、その機能が再封時にあっても損なわれない包装用箱及びそのブランクシートの提供。【解決手段】  四側板と、当該四側板からなる筒状を維持する連結板と、当該筒状の開口部を封じる封鎖板を備え、前記開口部は、三つの側面の端縁から各々延出する三つの封鎖板を備え、残る一つの側面の端縁から当該側板の裏側へ折り重ねられた支持板を備え、中央に位置する封鎖板は、当該封鎖板が延出する側板の端縁とその対面側板の端縁とを連絡し、その先端に対面側板の裏側に挿し入れられる挿込板を備え、前記対面側板及び支持板は、両者の領域に連なる切込線に囲まれた離脱部を備え、前記挿込板と前記支持板は、前記離脱部の領域のみで貼着され、前記離脱部は、開封時に前記挿込板と一体となって前記対面側板及び支持板から離脱する再封機能付き包装用箱。【選択図】      図１
2020090321.tif 000002
【特許請求の範囲】
【請求項１】
一枚のブランクシートを直方体状に成形してなる包装用箱であって、
四側面を持つ筒状に折り曲げられた四側板と、当該四側板の両側端を連結し当該筒状を維持する連結板と、当該筒状の開口部を封じる封鎖板を備え、
前記開口部は、前記四側面のうちの三つの側面を構成する側板又は連結板の端縁から各々延出する三つの封鎖板を備えると共に、残る一つの側面を構成する側板又は連結板の端縁から延出し当該側板の裏側へ折り重ねられた支持板を備え、
前記筒状の開口部において前記三つの封鎖板の中央に位置する封鎖板は、当該開口部において当該封鎖板が延出する側板の端縁と当該側板に対向する対面側板の端縁とを連絡し、その先端に対面側板の裏側に前記支持板に面して挿し入れられる挿込板を備え、
前記対面側板と当該対面側板から延出する支持板は、両者の領域に連なる切込線に囲まれた離脱部を備え、
前記挿込板と前記支持板は、前記離脱部の領域のみで貼着され、
前記離脱部は、開封時に前記挿込板と一体となって前記対面側板及び支持板から離脱することを特徴とする再封機能付き包装用箱。
【請求項２】
前記連結板を裏板とする複層部に非貼着部を備えると共に、当該非貼着部に切込線に囲まれたタグ部を備えることを特徴とする請求項１に記載の再封機能付き包装用箱。
【請求項３】
直方体状の包装用箱に折り曲げ成形されるブランクシートであって、
四側面を持つ筒状に折り曲げられる四側板と、当該四側板の両側端を連結し当該筒状を維持する連結板と、当該筒状の開口部を封じる封鎖板を備え、
前記筒状の開口部となる前記四側面の端部は、前記四側面のうちの三つの側面を構成する側板又は連結板の端縁から各々延出する三つの封鎖板を備えると共に、残る一つの側面を構成する側板又は連結板の端縁から延出し当該側板の裏側へ折り重ねられる支持板を備え、
前記筒状となった際の開口部において前記三つの封鎖板の中央に位置する封鎖板は、前記四側板が筒状となった際に、当該封鎖板が延出する側板の端縁と当該側板に対向する対面側板の端縁とを連絡し、その先端に対面側板の裏側に前記支持板に面して挿し入れられる挿込板を備え、
前記対面側板と当該対面側板から延出する支持板は、両者の領域に連なる切込線に囲まれた離脱部を備えることを特徴とする再封機能付き包装用箱用ブランクシート。
【請求項４】
前記連結板が固定される側板に、当該側板の端縁を含む切込線に囲まれたタグ部を備えることを特徴とする請求項３に記載の再封機能付き包装用箱。
【発明の詳細な説明】
【技術分野】
【０００１】
本発明は、開封されたことを表示する機能を一体的に備える再封可能な包装用箱であって、その機能が再封時にあっても損なわれない再封機能付き包装用箱及びそのブランクシートに関するものである。
【背景技術】
【０００２】
医薬品などを内包する包装用箱の分野では、異物の混入を回避する上で再封機能を備えることが望ましく、更に、内包物の内容や品質が損なわれない様に、開封表示機能及び改竄防止機能（以下「開封表示機能等」という）が付されることが求められる。
これまで紹介されている開封表示機能等は、箱の一部を剥がして開封表示を露出させる手法（下記特許文献１又は特許文献２参照）や、フラップを脱出させて開封表示を露出させる手法などが採られている（下記特許文献３又は特許文献４参照）。
【０００３】
また、開封後にあっては、内容物を包装用箱から取り出し、例えば、ＰＴＰ（Press Through Package）シートの状態で調剤棚に保管する場合に、当該ＰＴＰシートを包装用箱に印刷された情報と結びつけるため、包装用箱の特定の部分をタグとして切り取り、当該ＰＴＰシートに添付し又は調剤棚所定の保管位置に貼り付けるなどの措置が取られている。
従って、前記開封表示機能等の存在が、包装用箱の一部にタグを備えることの支障とならない構成であることが好ましい。
【先行技術文献】
【特許文献】
【０００４】
【特許文献１】特開２００５−２９８０４９号公報
【特許文献２】実用新案登録第３２０６１２５号公報
【特許文献３】実用新案登録第３１９４８３４号公報
【特許文献４】実用新案登録第３２０６１９９号公報
【発明の概要】
【発明が解決しようとする課題】
【０００５】
しかしながら、従来の手法のように開封表示機能等を発揮させるために別途操作を必要とする構成では、開封表示機能を発揮させる操作の失念などによって、せっかくの開封表示機能が有効に発揮されないという問題がある。
また、再封が可能な包装用箱については、再封時にあっても開封表示機能等を損なわない構成を持つことも求められている。
【０００６】
本発明は、上記実情に鑑みてなされたものであって、開封によって自動的に開封表示が露出する構成を備え、その機能が再封時にあっても損なわれない再封機能付き包装用箱及びそのブランクシートの提供を目的とする。
【課題を解決するための手段】
【０００７】
上記課題を解決するために為された本発明による再封機能付き包装用箱は、一枚のブランクシートを直方体状に成形してなる包装用箱であって、四側面を持つ筒状に折り曲げられた四側板と、当該四側板の両側端を連結し当該筒状を維持する連結板と、当該筒状の開口部を封じる封鎖板を備え、前記開口部は、前記四側面のうちの三つの側面を構成する側板又は連結板の端縁から各々延出する三つの封鎖板を備えると共に、残る一つの側面を構成する側板又は連結板の端縁から延出し当該側板の裏側へ折り重ねられた支持板を備え、前記筒状の開口部において前記三つの封鎖板の中央に位置する封鎖板は、当該開口部において当該封鎖板が延出する側板の端縁と当該側板に対向する対面側板の端縁とを連絡し、その先端に対面側板の裏側に前記支持板に面して挿し入れられる挿込板を備え、前記対面側板と当該対面側板から延出する支持板は、両者の領域に連なる切込線に囲まれた離脱部を備え、前記挿込板と前記支持板は、前記離脱部の領域のみで貼着され、前記離脱部は、開封時に前記挿込板と一体となって前記対面側板及び支持板から離脱することを特徴とする。
【０００８】
前記連結板を裏板とする複層部に非貼着部を備えると共に、当該非貼着部に切込線に囲まれたタグ部を備える構成を採ることもできる。
【０００９】
上記課題を解決するために為された本発明による再封機能付き包装用箱のブランクシートは、直方体状の包装用箱に折り曲げ成形されるブランクシートであって、四側面を持つ筒状に折り曲げられる四側板と、当該四側板の両側端を連結し当該筒状を維持する連結板と、当該筒状の開口部を封じる封鎖板を備え、前記筒状の開口部となる前記四側面の端部は、前記四側面のうちの三つの側面を構成する側板又は連結板の端縁から各々延出する三つの封鎖板を備えると共に、残る一つの側面を構成する側板又は連結板の端縁から延出し当該側板の裏側へ折り重ねられる支持板を備え、前記筒状となった際の開口部において前記三つの封鎖板の中央に位置する封鎖板は、前記四側板が筒状となった際に、当該封鎖板が延出する側板の端縁と当該側板に対向する対面側板の端縁とを連絡し、その先端に対面側板の裏側に前記支持板に面して挿し入れられる挿込板を備え、前記対面側板と当該対面側板から延出する支持板は、両者の領域に連なる切込線に囲まれた離脱部を備えることを特徴とする。
【００１０】
前記連結板が固定される側板に、当該側板の端縁を含む切込線に囲まれたタグ部を備える構成を採ることもできる。
【発明の効果】
【００１１】
本発明による再封機能付き包装用箱及びそのブランクシートによれば、側板に設けられた開封破断線を押し破って開封することによって、支持板とそれに連続する側板から離脱部が離脱する。
その際、当該離脱部の側板から離脱した部分は、その材料（例えば厚紙など）の硬直性などの作用で挿込板の向きの延長方向へ伸展し、従来の手法のように開封表示機能等の発揮に別途操作を必要とすることなく、開封表示部位が自動的に起立するため、開封表示機能を発揮させる操作の失念による開封表示機能の放置という問題が解決され、包装用箱に設けられた開封表示機能が有効に発揮されることとなる。
また、再封時にあっても挿込板を支持部の裏に挿し入れる操作に伴って、当然に開封表示部位が露出し起立する構成が採られているため、自動的に開封表示機能等が果たされることとなる。
【００１２】
また、開封後にあっては、内容物を包装用箱から取り出し、例えば、ＰＴＰシートの状態で調剤棚に保管する場合に、当該ＰＴＰシートを包装用箱に印刷された情報と結びつけるため、包装用箱の特定の部分をタグとして切り取り、当該ＰＴＰシートに添付し又は調剤棚所定の保管位置に貼り付ける場合にあっても、再封機能と、前記開封表示機能等の存在と、箱の一部にタグを備えることが、相互に支障とならない構成であるため、多様な要請に対応できる包装用箱を提供することができる。
【図面の簡単な説明】
【００１３】
【図１】本発明による包装用箱の例を示す（Ａ）：封鎖時（Ｂ）：開封時及び（Ｃ）：再封時における要部正面図である。
【図２】本発明による包装用箱の一例を示す封鎖工程における要部左側面図である。
【図３】本発明による包装用箱の一例を示す再封操作時における要部左側面図である。
【図４】本発明による包装用箱の一例を示す（Ａ）：正面図及び（Ｂ）：背面図である。
【図５】本発明による包装用箱の一例を示す（Ａ）：左側面図及び（Ｂ）：右側面図である。
【図６】本発明による包装用箱の一例を示す平面図及び（Ｂ）：底面図である。
【図７】本発明による包装用箱のタグ脱離操作の一例を示す説明図である。
【図８】本発明による包装用箱のブランクシートの一例を示す表側から見た平面図である。
【図９】本発明による包装用箱のブランクシートの一例を示す表側から見た平面図である。
【発明を実施するための形態】
【００１４】
以下、本発明による再封機能付き包装用箱の実施の形態を、そのブランクシートの実施の形態と共に詳細に説明する。
以下に示す再封機能付き包装用箱の例は、一枚のブランクシートを直方体状に組み立てそのいずれかの面に開封部を設けてなる包装用箱である。
【００１５】
当該包装用箱は、筒状に連結した方形状の四側板並びに当該側板に囲まれた開口部を封じる蓋Ａ及び底Ｂを備え、それらに囲まれた内空部を形成する。
当該包装用箱は、一連の左側板１、後側板２、右側板３及び前側板４を備え、前記前側板４に連続して、前記左側板１の裏側に折り重なる連結板５を備える。
前記前側板４は、その上縁から延出し当該前側板４の裏側へ折重ねられた支持板６を備える。
【００１６】
前記蓋Ａは、前記左側板１及び右側板３の上端縁からそれぞれ延出する左上フラップ（左上封鎖板７）及び右上フラップ（右上封鎖板８）、並びに後側板２の上端縁から延出し前側板４の上端へ連絡する連絡封鎖板９が、折り重なって形成され、前記底Ｂは、前記左側板１及び右側板３の下端縁からそれぞれ延出する左下フラップ（左下封鎖板１０）及び右下フラップ（右下封鎖板１１）、並びに前記前側板４及び後側板２の下端縁からそれぞれ延出する前封鎖板１３及び後封鎖板１２が、折り重なって形成される。
【００１７】
前記左右上封鎖板７，８及び左右下封鎖板１０，１１は、ともに方形状であり、その延出長は前記前側板４又は後側板２の幅の半分未満に設定されている。
一方、前記連絡封鎖板９及び前封鎖板１３は、それぞれ上下開口部の全域を覆う方形状に設定され、前記後封鎖板１２は、延出長が前記前封鎖板１３よりも僅かに短い方形状に設定されている。
【００１８】
前記連絡封鎖板９は、当該連絡封鎖板９が延出する前記後側板２に対向する前記前側板４の裏側であって前記支持板６の表側に挿し入れられる挿込板１４を備える。
前記挿込板１４は、開封時においてその接着部位から剥がれないだけの十分な固定強度を維持できる面積と、再封時においてその封鎖状態を安定的に維持できる高さを備え、好ましくは、挿し入れの便宜として先細りの台形状を採用する。
【００１９】
前記左側板１は、前端縁の中央をコの字状に切り込んだ分離破断線ｒを備え、その内側に、当該分離破断線ｒに囲まれたタグ部Ｔを形作る。
前記左側板１と前記連結板５は、前記分離破断線ｒの外側、即ち、前記タグ部Ｔを除く部位で接着し、当該タグ部Ｔの裏面と前記連結板５との間は、非接着面となる。その結果、前記分離破断線ｒの破断によって、前記タグ部Ｔが容易に切り取られて前記左側板１から脱離することとなる。
【００２０】
前記タグ部Ｔの開放端は、下から上へ破断する際の便宜として、その下部に摘み部Ｔ１が形作られている他、当該タグ部Ｔを囲む分離破断線ｒは、下部の横辺では手前から奥へ引き上げて破断するように、各切込みについて手前から上向きの力を迎えるように切り込まれ、中間部の縦辺は一気に見栄えよく破断するように、微細なピッチで千鳥状に並走して切り込まれ、上部の横辺では、奥から手前へ引き上げて破断するように、各切込みについて奥から上向きの力を迎えるように切り込まれている。
【００２１】
前記右側板３及び前記連結板５は、前記左側板１と略等しい形状の前記タグ部Ｔを有しない側板である。
前記連結板５は、上下フラップ７，８，１０，１１が折曲げられる際の妨げとならないように、上下端縁が僅かに後退するように切り欠かれている。
前記後側板２は、前記前側板４と略等しい形状に裁断され、その下端部に上に凸となる円弧状の分解破断線ｑを備える。
【００２２】
前記前側板４は、方形状に裁断され、その上端部に、下に凸となるＵ字状の開封破断線ｐ１を備える。
前記支持板６は、開口部の奥行きより短い長さと、当該支持板６が延出する前側板４に略等しい幅を持つ方形状に裁断され、前記前側板４の開封破断線ｐとは当該前側板４の上縁に対して対称的なＵ字状の開封破断線ｐ２を備える。
而して、前記前側板４の開封破断線ｐ１と前記支持板６の開封破断線ｐ２は、連結して一個の無端切込線となり方形状の開封破断線ｐとなる。
【００２３】
上記切込線（開封破断線ｐ）の構成をもって、前記前側板４と前記支持板６は、それぞれの中央部に、当該開封破断線ｐに囲まれ、且つ両者の領域に連なる帯状の離脱部Ｃを備えることとなる。
前記前側板４の裏面と前記支持板６の裏面は、前記離脱部Ｃの外側のみで貼着され、当該開封破断線ｐの内側は、非接着部とされている。
一方、前記挿込板１４の表面と前記支持板６の表面は、前記離脱部Ｃのみで貼着され、当該離脱部Ｃが脱離した際には、当該離脱部Ｃのみが前記挿込板１４及び連絡封鎖板９との一体性を持って揺動することとなる。
【００２４】
この例では、前記離脱部Ｃの前記前側板４の領域に、「開封」と表示し、当該「開封」に続いて同書同大同間隔で当該離脱部Ｃの外に「口」と標記する（図１（Ａ），図４（Ａ）及び図８参照）。
その結果、封鎖時においては、当該離脱部Ｃを「開封口」として表示し、開封後にあっては、「開封」と標記された開封表示として機能させることができる。
【００２５】
上記構成により、前記開封破断線ｐが破断され、その内側の離脱部Ｃが前記前側板４及び支持板６から脱離した後には、前記支持板６及び前記前側板４の上縁部の左右端部は、それらの内側へ挿し入れられた前記挿込板１４を支える支持部Ｄとして機能する（図１（Ｃ）参照）。
【００２６】
再封操作により当該挿込板１４が、前記支持板６の支持部Ｄに当接しつつ前記前側板４の裏側へ挿し入れられた際には、前記左上封鎖板７及び前記右上封鎖板８及び前記支持部Ｄに、前記連絡封鎖板９及び挿込板１４が支持され、当該包装用箱の上開口部を安定的に封鎖すると共に、前記離脱部Ｃの開封表示部位（開封表示片ｃ）が起立し、上方及び四側方から開封済の包装用箱であることが確認できる。
前記開封表示片ｃに、例えば、「開封」などの開封表示が記載されている場合には、当該開封表示片ｃが起立している意味がより明確になることとなる（図１（Ｂ）（Ｃ）及び図３参照）。
【００２７】
[ブランクシート]
図８に示す上記包装用箱のブランクシートは、上記包装用箱に折曲げ成形される一連の厚紙であって、前記左側板１、前記後側板２、前記右側板３、前記前側板４、前記連結板５の順で一列に連結した帯状の側面領域を備える。
【００２８】
前記ブランクシートは、更に、前記蓋Ａの構成するものとして、前記左側板１及び右側板３の上端縁からそれぞれ延出する前記左上フラップ（左上封鎖板７）及び前記右上フラップ（右上封鎖板８）、並びに後側板２の上端縁から延出し前側板４の上端へ連絡する前記連絡封鎖板９を備え、前記底Ｂを構成するものとして、前記左側板１及び右側板３の下端縁からそれぞれ延出する前記左下フラップ（左下封鎖板１０）及び前記右下フラップ（右下封鎖板１１）、並びに前記後側板２及び前記前側板４の下端縁からそれぞれ延出する前記後封鎖板１２及び前記前封鎖板１３を備える。
【００２９】
前記前側板４と前記支持板６は、それぞれの中央部において両者の領域に連なる無端切込線（「開封破断線ｐ」）に囲まれた帯状の離脱部Ｃを備える。
この例において、前記開封破断線ｐは、前記前側板４及び支持板６の表裏を間欠的に貫通する一列のミシン目である。
この例では、当該開封破断線ｐに囲まれたエリアは、開封時にあっては指の貫入部として機能し、再封時にあっては、その開封表示片ｃが起立し、開封表示機能を奏する。
【００３０】
前記左側板１は、分離破断線ｒに囲まれたタグ部を備える。
前記タグ部Ｔを囲む分離破断線ｒは、二列の間欠切込を互い違いに並設してなる複切込（縦辺）と、への字状に屈曲した切り込みが間欠的に等間隔で配置された単切込（横辺）とで構成される。
前記タグ部Ｔは、前記左側板１の後方中央部に配置され、その分離破断線ｒの上辺及び下辺に単切込を採用し、縦辺に複切込が採用されている。
前記上辺は、への字状切込の破断軌道から外れる短辺がタグ部Ｔの外側の後方に配置され、前記下辺は、への字状短辺がタグ部Ｔの内側の前方に配置されている。
前記タグ部Ｔの前縁は、その一部が後退し下部に摘み部Ｔ１が形作られた外形に成形されている。
【００３１】
前記複切込は、切込長：間欠長が２：３から３：２のミシン目を、半周期位相がずれた状態で二列並走させることで、波長が１．５ｍｍから３．０ｍｍの方形波状を呈する切込として形作ったものである。
前記複切込は、ミシン目一つ一つが細く短いにも関わらず、良好な破断を行うことができ、且つ凹凸が少なく破断前の手触りが滑らかなので、それと接する他の物との干渉にあっても、引っ掛かりが少ないという特徴がある。
前記二列の間隔を、当該ブランクシートの紙厚に略等しく設定することによって（例えば、紙厚に対して０．５ｍｍ程度増減した幅など。）、輸送時や積上げ時に破断が生じ難く、破断時にあっては、容易に且つ見た目良く破断できることとなる。
【００３２】
前記分解破断線ｑは、前記後側板２の下縁両端からその全幅にわたって上に凸の円弧状に切り込まれたミシン目であり、この例では、前記後側板２の下縁両端より約１０ｍｍ程度上方中央に頂点が来るように切り込んだものである。
この例では、当該分解破断線ｑに囲まれたエリアを、分解時における指の貫入部として用いる。
図９のように、連結板２５、後側板２２、右側板２３、前側板２４、左側板２１の順で一列に連結した帯状の側面領域を備え、それぞれに、前記蓋となる封鎖板、底となる封鎖板及び支持板を同様に付設する構成を採ることもできる。
【００３３】
[組み立て]
前記ブランクシートは、先ず、前記前側板４と前記連結板５の境界線で折り重ね、次に、同じ方向へ前記右側板３と前記後側板２の境界線で折り重ねて、前記左側板１と連結板５を、上記の如く前記非接着部を設けつつ接着する。
次に、前記左側板１、前記後側板２、前記右側板３、前記前側板４及び前記連結板５の各々の境界線ですべて同じ方向へ直角に屈曲するように展開させ、ブランクシート全体を筒状に立体化する。
【００３４】
続いて、前記底Ｂとして、前記左下フラップ（左下封鎖板１０）及び前記右下フラップ（右下封鎖板１１）を下開口部側へ直角に折曲げ、その上に前記後封鎖板１２を下開口部側へ直角に折曲げ、更にその上に前記前封鎖板１３を直角に折曲げて強固に接着し、筒状に立体化したブランクシート（以下「箱体」という）の下開口部を封鎖する。
【００３５】
当該箱体に商品等を装填した上で、最後に、前記支持板６を前側板４の裏側へ折重ねると共に、当該支持板６における離脱部Ｃの外側と、前記前側板４の離脱部Ｃの外側を、裏面同士で糊付けし、前記蓋Ａとして、前記左上フラップ（左上封鎖板７）及び前記右上フラップ（右上封鎖板８）を開口部側へ直角に折曲げ、前記連絡封鎖板９を開口部側へ直角に折曲げ、その先端から延出する挿込板１４を、前記前側板４の内側へ前記支持板６に当接するように挿し入れて、前記挿込板１４と前記支持板６の離脱部Ｃのみを強固に接着し、前記箱体の上開口部を封鎖する（図２参照）。
【００３６】
[開封]
上記の如く封鎖された包装用箱は、前記前側板４の上端部に設けられた開封破断線ｐに囲まれた前記離脱部Ｃを指先で押し入れ、前記前側板４及び支持板６の前記離脱部Ｃと共に前記連絡封鎖板９を引き上げることによって、前記前側板４及び支持板６の上位に設けた前記開封破断線ｐが破断し、それらが前記蓋Ａの一部となって後方へ起立し開封される（図１（Ｂ），図３（Ａ）参照）。
上記開封操作によって、前記離脱部Ｃの開封表示片ｃが当該包装用箱の開口部から自動的に脱出し、当該離脱部Ｃの開封表示片ｃが挿込板１４の向きの延長方向へ伸展すると共に、当該開封表示片ｃの表面に記載された「開封」の表示が自動的に顕在化する（図１（Ｂ）参照）。
【００３７】
[再封]
前記挿込板１４を、前記支持部Ｄの裏側に挿し入れる操作を経て当該包装用箱は再封される（図１（Ｃ）参照）。
その際、前記離脱部Ｃの開封表示片ｃに抵触することなく前記挿込板１４を挿し入れることができる。
また、その際、前記挿込板１４の向きの延長方向へ伸展した前記離脱部Ｃの開封表示片ｃが、当該箱体の開口部から自動的に離脱するため、当該開封表示片ｃは、当該箱体の外部へ自動的に顕在化する（図１（Ｃ）参照）。
即ち、再封表示機能を発揮させるために、特別な操作は不要であり、前記再封操作によって開封表示機能が害されることもなく、しかも、開封表示は、前記支持部Ｄの表面に記載されているため、再封操作によって開封表示が隠されることもない。
【００３８】
[タグ部の切り離し]
前記タグ部Ｔは、前記摘み部Ｔ１を指先で摘んで上向きに引き剥がすことによって、前記分離破断線ｒが破断し、前記タグ部Ｔを容易に切り離すことができる（図７参照）。
当該タグ部Ｔの分離によって、開封済の表示に支障が出ることもない。
【００３９】
切り離された前記タグ部Ｔは、商標や内容物情報を記した表示が一見で目視できる短冊状のタグｔとなる（図７参照）。
本発明による包装用箱は、前記タグ部Ｔが存在した部分が欠け、前記連結板５が露出するものの、内容物の露出は回避できる（目隠し機能）。
また、前記連結板５の非接着部の表面に離脱した部分と等しい図柄等の印刷をしておけば、離脱後の体裁も良好となる。
【００４０】
なお、この発明は上記実施例に限定されるものではなく、前記タグ部Ｔの形態又は前記四側板、前記蓋Ａ若しくは前記底Ｂの構成などを、本願発明の目的とする機能を損なわない限りにおいて適宜変更することが可能である。
包装用箱の材質は、紙やプラスチック等、自由に選択可能である。折曲げ線や切込の形状も、前記機能を損なわない限りにおいて適宜変更可能である。
【符号の説明】
【００４１】
Ａ  蓋，Ｂ  底，
Ｃ  離脱部，ｃ  開封表示片，
Ｄ  支持部， 
Ｔ  タグ部，Ｔ１  摘み部，ｔ  タグ，
ｐ  開封破断線，ｐ１  開封破断線（前側板），ｐ２  開封破断線（支持板），
ｑ  分解破断線，ｒ  分離破断線，
１  左側板，２  後側板，３  右側板，４  前側板，
５  連結板，６  支持板，
７  左上フラップ（左上封鎖板），８  右上フラップ（右上封鎖板），
９  連絡封鎖板，
１０  左下フラップ（左下封鎖板），１１  右下フラップ（右下封鎖板），
１２  後封鎖板，１３  前封鎖板，１４  挿込板，
【図１】
2020090321.tif 000003
【図２】
2020090321.tif 000004
【図３】
2020090321.tif 000005
【図４】
2020090321.tif 000006
【図５】
2020090321.tif 000007
【図６】
2020090321.tif 000008
【図７】
2020090321.tif 000009
【図８】
2020090321.tif 000010
【図９】
2020090321.tif 000011